(57)【要約】【課題】コンテンツに対する関心の高さを効率的に把握できるようにすることを目的とする。【解決手段】コンテンツを管理するコンテンツ管理装置であって、撮像装置によるコンテンツの撮像に伴う画像情報を該撮像装置から受信する第一受信部と、前記第一受信部によって受信された前記画像情報と関連付けられたコンテンツを特定する第一特定部と、前記第一特定部によって特定された前記コンテンツの特定回数をカウントする更新部と、を有する、コンテンツ管理装置を提供する。【選択図】図８
2014179949.tif 000002
【特許請求の範囲】
【請求項１】
コンテンツを管理するコンテンツ管理装置であって、
撮像装置によるコンテンツの撮像に伴う画像情報を該撮像装置から受信する第一受信部と、
前記第一受信部によって受信された前記画像情報と関連付けられたコンテンツを特定する第一特定部と、
前記第一特定部によって特定された前記コンテンツの特定回数をカウントする更新部と、
を有する、コンテンツ管理装置。
【請求項２】
前記コンテンツを、前記特定回数に応じて、前記表示装置に表示させる制御部
を有する、請求項１に記載のコンテンツ管理装置。
【請求項３】
前記撮像装置の位置情報を該撮像装置から受信する第二受信部と、
前記位置情報と関連付けられた前記表示装置を特定する第二特定部と、
を有し、
前記コンテンツの特定回数は、特定された前記表示装置ごとに管理される、
請求項１又は２に記載のコンテンツ管理装置。
【請求項４】
特定された前記コンテンツに関連するリンク情報を前記撮像装置に送信する送信部と
を有する、請求項１乃至３の何れか一項に記載のコンテンツ管理装置。
【請求項５】
前記送信部は、前記特定回数に応じて前記コンテンツを送信する、
請求項４に記載のコンテンツ管理装置。
【請求項６】
前記特定回数は、前記リンク情報に含まれるリンクが選択された回数を含む、
請求項４又は５に記載のコンテンツ管理装置。
【請求項７】
前記特定回数は、前記特定部が前記コンテンツを特定した回数を含む、
請求項１乃至６の何れか一項に記載のコンテンツ管理装置。
【請求項８】
前記コンテンツは表示装置に表示されるコンテンツであり、
前記第一受信部は、前記撮像装置による前記表示装置に表示されている第一コンテンツの撮像に伴う画像情報を該撮像装置から受信する受信部であり、
前記第一特定部は、前記第一受信部によって受信された前記第一コンテンツの撮像に伴う画像情報と関連付けられたコンテンツを特定する特定部であり、
前記更新部は、前記第一コンテンツの撮像に伴う画像情報と関連付けられたコンテンツの特定回数をカウントする更新部であり、
前記更新部によってカウントされた前記第一コンテンツの撮像に伴う画像情報と関連付けられたコンテンツの特定回数に基づいて、前記表示装置に第二コンテンツを表示させる制御部を有する、
請求項１に記載のコンテンツ管理装置。
【請求項９】
前記制御部によって前記表示装置に表示される前記第二コンテンツの内容は前記表示装置に表示されている第一コンテンツと同じ内容であり、前記第二コンテンツが表示される位置は前記第一コンテンツが表示されている位置とは異なる位置に表示される、
請求項８に記載のコンテンツ管理装置。
【請求項１０】
前記制御部によって前記表示装置に表示される前記第二コンテンツは、前記更新部によってカウントされた前記第一コンテンツの撮像に伴う画像情報と関連付けられたコンテンツの特定回数に基づいて選択された複数のコンテンツである、
請求項９に記載のコンテンツ管理装置。
【請求項１１】
コンテンツを管理するコンテンツ管理装置が実行するコンテンツ管理方法であって、
撮像装置によるコンテンツの撮像に伴う画像情報を該撮像装置から受信する受信段階と、
前記受信段階において受信された前記画像情報と関連付けられたコンテンツを特定する特定段階と、
前記特定段階において特定された前記コンテンツの特定回数をカウントする更新段階と、
を有する、コンテンツ管理方法。
【請求項１２】
表示装置と、該表示装置に表示させるコンテンツを管理するコンテンツ管理装置とを有するコンテンツ管理システムであって、
前記コンテンツ管理装置は、
撮像装置によるコンテンツの撮像に伴う画像情報を該撮像装置から受信する第一受信部と、
前記第一受信部によって受信された前記画像情報と関連付けられたコンテンツを特定する第一特定部と、
前記第一特定部によって特定された前記コンテンツの特定回数をカウントする更新部と、
前記コンテンツを、前記更新部によってカウントされた前記特定回数に応じて、前記表示装置に表示させる制御部と、
を有し、
前記表示装置は、
前記制御部による制御に応じて前記コンテンツを表示する表示部
を有する、コンテンツ管理システム。
【発明の詳細な説明】
【技術分野】
【０００１】
本発明は、コンテンツ管理装置、コンテンツ管理方法及びコンテンツ管理システムに関する。
【背景技術】
【０００２】
公共の場所や店舗内に設置された表示装置に、広告等を表示させる、デジタルサイネージに関心が集まっている。デジタルサイネージでは、設置された場所等に応じて異なるコンテンツを表示し、通行する人々の関心を引くことができる。
【０００３】
例えば、特許文献１には、表示装置の一の領域にコンテンツを表示させる一方で、他の領域に視聴者撮影画像を表示させることにより、コンテンツへの注目度を高める技術が開示されている。
【０００４】
一方で、特許文献２、３、非特許文献１には、移動通信端末によって撮影された画像を受信し、その特徴量を算出することにより、その画像と予め関連付けられた情報を、移動通信端末に通知する技術が開示されている。
【発明の概要】
【発明が解決しようとする課題】
【０００５】
例えば、ショッピングモールのテナントが提供する、商品画像のようなコンテンツの一覧を表示装置に表示させる手法が考えられる。
【０００６】
しかしながら、上記の手法を実現しようとしたとき、従来の方法では、コンテンツに係る商品へのユーザの関心の高さを、効率的に把握する方法が存在しなかった。
【０００７】
本発明は、このような問題に鑑みてなされたものであり、コンテンツに対する関心の高さを効率的に把握できるようにすることを目的とする。
【課題を解決するための手段】
【０００８】
上述した課題を解決し目的を達成するため、本発明の一実施形態におけるコンテンツ管理装置は、
コンテンツを管理するコンテンツ管理装置であって、
撮像装置によるコンテンツの撮像に伴う画像情報を該撮像装置から受信する第一受信部と、
前記第一受信部によって受信された前記画像情報と関連付けられたコンテンツを特定する第一特定部と、
前記第一特定部によって特定された前記コンテンツの特定回数をカウントする更新部と、
を有する。
【０００９】
また、本発明の一実施形態におけるコンテンツ管理方法は、
コンテンツを管理するコンテンツ管理装置が実行するコンテンツ管理方法であって、
撮像装置によるコンテンツの撮像に伴う画像情報を該撮像装置から受信する受信段階と、
前記受信段階において受信された前記画像情報と関連付けられたコンテンツを特定する特定段階と、
前記特定段階において特定された前記コンテンツの特定回数をカウントする更新段階と、
を有する。
【００１０】
また、本発明の一実施形態におけるコンテンツ管理システムは、
表示装置と、該表示装置に表示させるコンテンツを管理するコンテンツ管理装置とを有するコンテンツ管理システムであって、
前記コンテンツ管理装置は、
撮像装置によるコンテンツの撮像に伴う画像情報を該撮像装置から受信する第一受信部と、
前記第一受信部によって受信された前記画像情報と関連付けられたコンテンツを特定する第一特定部と、
前記第一特定部によって特定された前記コンテンツの特定回数をカウントする更新部と、
前記コンテンツを、前記更新部によってカウントされた前記特定回数に応じて、前記表示装置に表示させる制御部と、
を有し、
前記表示装置は、
前記制御部による制御に応じて前記コンテンツを表示する表示部
を有する。
【発明の効果】
【００１１】
本発明の一実施形態におけるコンテンツ管理装置、コンテンツ管理方法及びコンテンツ管理システムにより、コンテンツに対する関心の高さを効率的に把握できるようにする。
【図面の簡単な説明】
【００１２】
【図１】本発明の一実施形態におけるコンテンツ管理システムの全体像を表す図。
【図２】本発明の一実施形態におけるコンテンツ管理システムの概要を説明するための図。
【図３】本発明の一実施形態におけるコンテンツ管理システムの概要を説明するための図。
【図４】本発明の一実施形態におけるコンテンツ管理システムの概要を説明するための図。
【図５】本発明の一実施形態における表示装置のハードウェア構成例を表す図。
【図６】本発明の一実施形態におけるコンテンツ管理装置のハードウェア構成例を表す図。
【図７】本発明の一実施形態における移動通信端末のハードウェア構成例を表す図。
【図８】本発明の一実施形態におけるコンテンツ管理システムの機能ブロック図。
【図９】表示装置情報を格納するテーブルの例を表す図。
【図１０】表示装置のレイアウト情報の概念図。
【図１１】表示装置のレイアウト情報の概念図。
【図１２】移動通信端末の表示レイアウトの例を表す図。
【図１３】表示装置のコンテンツ情報を格納するテーブルの例を表す図。
【図１４】表示装置のコンテンツ情報を格納するテーブルの例を表す図。
【図１５】リンク情報を格納するテーブルの例を表す図。
【図１６】本発明の一実施形態におけるコンテンツ管理装置の処理フローを表す図。
【図１７】本発明の一実施形態におけるコンテンツ管理システムの動作例を表すシーケンス図。
【図１８】コンテンツの表示例（更新前）を表す図。
【図１９】コンテンツの表示例（更新後）を表す図。
【発明を実施するための形態】
【００１３】
以下、本発明の実施形態を図面に基づいて説明する。
【００１４】
１．  システムの概要
２．  ハードウェア構成
３．  機能
４．  動作例
【００１５】
≪  １．  概要  ≫
図１は、本発明の一実施形態におけるコンテンツ管理システム１の全体構成を表す。コンテンツ管理システム１は、商品画像のようなコンテンツを表示する表示装置１０と、コンテンツへの関心の高さを表すスコア応じてコンテンツの表示を制御するコンテンツ管理装置２０を含む。また、コンテンツ管理システム１は、ユーザの所持する移動通信端末３０と、移動通信端末３０に位置情報を配信する配信装置４０と、無線ＬＡＮ等のアクセスポイント５０と、移動体通信のための基地局６０とを含み得る。表示装置１０は、無線又は有線ＬＡＮ等により、インターネット等のネットワークを介して、コンテンツ管理装置２０と接続される。また、移動通信端末３０は、移動体通信網等の基地局６０を介して、コンテンツ管理装置２０と接続される。
【００１６】
表示装置１０は、例えば、プロジェクタとスクリーンによって構成される、デジタルサイネージの端末である。表示装置１０は、コンテンツ管理装置２０からの制御により、一以上のコンテンツを表示する。コンテンツを表示する順序及びレイアウトは，コンテンツ管理装置２０によって制御される。なお、表示装置１０は、異なる場所に複数設置され、表示されるコンテンツや、表示順序や、レイアウトは，場所又は表示装置ごとに異なり得る。
【００１７】
コンテンツ管理装置２０は、サーバ又はＰＣ向けのコンピュータアーキテクチャに従って構成される一以上のコンピュータである。コンテンツ管理装置２０は、表示装置１０又は移動通信端末３０に表示されるコンテンツや、そのコンテンツのスコアを管理する。また、コンテンツ管理装置２０は、表示装置に表示されるコンテンツの表示順序やレイアウトを制御する。スコアは、表示装置１０に表示されたコンテンツが撮影された回数（以下、撮影回数とする）や、ユーザによってコンテンツへ投票がなされた数（以下、投票数とする）等によって表され得る。
【００１８】
移動通信端末３０は、ユーザの所持する、例えばスマートフォンのような携帯端末であり、カメラと、位置情報を取得する手段を備える。位置情報を取得する手段は、例えば、ＧＰＳ（Global Positioning System）やＩＭＥＳ（Indoor Messaging System）による測位信号を受信可能な受信機である。
【００１９】
配信装置４０は、移動通信端末３０が、主にＧＰＳによる位置測位が行えないような屋内でも位置情報を取得できるように、ＩＭＥＳ規格等に従って、測位信号を配信する装置である。ＩＭＥＳによる測位信号には、緯度、経度の位置情報が含まれる。
【００２０】
図２は、図１のコンテンツ管理システム１における、コンテンツの流れを表す図である。図２に示されるように、各コンテンツは、東京や大阪のように、異なる場所のテナントから提供され、コンテンツ管理装置２０に登録される（図２の（１））。コンテンツ管理装置２０は、各コンテンツを管理し、表示装置１０の設置された場所ごとに集計したコンテンツのスコアに基づいて、各コンテンツを表示させる（図２の（２））。
【００２１】
一方、表示装置１０に表示されたコンテンツを閲覧したユーザは、目に留まったコンテンツを移動通信端末３０のカメラで撮影する（図２の（３））。撮影して取得された画像情報は、移動体通信網等を介して、コンテンツ管理装置２０に送信される。コンテンツ管理装置２０は、画像情報から特徴量を抽出し、その画像情報と関連付けられたコンテンツを特定する。そして、ユーザの現在位置における、特定したコンテンツのスコアを更新する（図２の（４））。ユーザの現在位置は、移動通信端末３０の取得した位置情報により、特定される。例えば、コンテンツのスコアが、「撮影回数」である場合には、コンテンツが特定された時点で、スコアが加算されることになる。図３は、ユーザによる撮影により、「撮影回数」が更新される様子を表している。
【００２２】
一方、コンテンツ管理装置２０は、画像情報を送信した移動通信端末に対して、その画像情報と関連付けられたコンテンツのリンク情報を送信する。ユーザは、そのリンク情報に含まれるリンクを選択することにより、そのコンテンツへの投票を行うことができる。図４は、ユーザが、コンテンツを撮影した後に表示されたリンク項目「投票する」を選択することにより、当該コンテンツに投票がなされ、投票数が加算される例を表している。
【００２３】
さらに、コンテンツ管理装置２０は、ユーザが撮影したコンテンツを除いた、スコアの高い他のコンテンツを、移動通信端末３０に送信する（図２の（５））。図２の例では、東京で撮影回数が上位三つのコンテンツが、移動通信端末３０に送信されている。
【００２４】
一方、表示装置１０は、新しく更新されたスコアに従って、各コンテンツを表示する。
【００２５】
以上のように、本発明の一実施形態におけるコンテンツ管理システム１により、表示装置に表示されたコンテンツの撮影回数や、当該コンテンツに対する投票数を用いて、コンテンツに対するユーザの関心の高さを容易に把握することができる。
【００２６】
なお、移動通信端末３０における、コンテンツの撮影からリンク先情報の表示までの一連の動作は、例えば、非特許文献２に例示される「ＴＡＭＡＧＯ  Ｃｌｉｃｋｅｒ（登録商標）」のような、アプリケーションを通じて、実行され得る。
【００２７】
≪  ２．  ハードウェア構成  ≫
≪  表示装置  ≫
図５は、本発明の一実施形態における表示装置１０のハードウェア構成例を表す。表示装置１０は、ＣＰＵ１１と、ＲＡＭ１２と、ＲＯＭ１３と、通信装置１４と、入力装置１５と、Ａ／Ｄコンバータ１６と、映像入力端子１７と、映像処理装置１８と、投影駆動装置１９と、投影装置２１とを有する。
【００２８】
ＣＰＵ１１は、表示装置１０の動作制御を行うプログラムを実行する。ＲＡＭ１２は、ＣＰＵ１１のワークエリアを構成する。ＲＯＭ１３は、ＣＰＵ１１が実行するプログラムや、プログラムの実行に必要なデータを記憶する。通信装置１４は、有線ＬＡＮ又は無線ＬＡＮにより、外部の装置と通信するための装置である。入力装置１５は、例えば、操作ボタン等であり、表示装置１０の管理者等からの入力を受け付ける装置である。
【００２９】
Ａ／Ｄコンバータ１６は、入力映像端子１７から入力されてきたアナログの映像信号をデジタルの映像信号に変換する。映像処理装置１８は、デジタルの映像信号に対して、コントラスト調整、明るさ調整、シャープネス調整、スケーリング処理、メニュー情報の重畳（ＯＳＤ；On Screen Display）などの各種画像処理を行う。
【００３０】
投影駆動装置１９は、投影装置２１を駆動する。投影装置２１は、映像信号を投影する。投影方式は、液晶方式、あるいは、デジタルミラーデバイス（ＤＭＤ）を用いたＤＬＰ（Digital Light Processing）方式であってもよい。バス２２は、上記の各装置を相互に接続する。
【００３１】
なお、図５は、投影によってコンテンツを表示する表示装置１０の例であるが、表示装置１０は、ＬＣＤ（Liquid Crystal Display）やプラズマディスプレイのような、任意の表示装置であってもよい。
【００３２】
≪  コンテンツ管理装置  ≫
図６は、本発明の一実施形態におけるコンテンツ管理装置２０のハードウェア構成例を表す。コンテンツ管理装置２０は、ＣＰＵ３１と、ＲＡＭ３２と、ＲＯＭ３３と、ＨＤＤ３４と、キーボード３５と、マウス３６と、ディスプレイ３７と、ＮＩＣ（Network Interface Card）３８とを有する。
【００３３】
ＣＰＵ３１は、コンテンツ管理装置２０の動作制御を行うプログラムを実行する。ＲＡＭ３２は、ＣＰＵ３１のワークエリアを構成する。ＲＯＭ３３は、ＣＰＵ３１が実行するプログラムや、プログラムの実行に必要なデータを記憶する。ＨＤＤ３４は、表示装置の位置を表す表示装置情報や、表示するコンテンツのレイアウトを定義するレイアウト情報や、コンテンツのスコア等を表すコンテンツ情報や、コンテンツに関連するリンクの情報であるリンク情報等を格納する。ＨＤＤ３４は、磁気ディスクや、ソリッドステートディスクのような記憶装置であってもよい。
【００３４】
キーボード３５及びマウス３６は、コンテンツ管理装置２０の管理者等からの入力を受け付ける装置である。ディスプレイ３７は、コンテンツ管理装置２０の管理者等に情報を提示する装置である。ＮＩＣ３８は、例えばイーサネット（登録商標）によるＬＡＮと接続するための通信インターフェースである。バス３９は、上記の各装置を相互に接続する。
【００３５】
なお、図６のコンテンツ管理装置２０は、単一のコンピュータによって構成されているが、複数のコンピュータにまたがって構成されてもよい。また、そのような複数のコンピュータのそれぞれが、図６に示された装置の一部を有し、全体として、図６に示した装置を実現するよう構成されてもよい。
【００３６】
≪  移動通信端末  ≫
図７は、本発明の一実施形態における移動通信端末３０のハードウェア構成例を表す。移動通信端末３０は、ＣＰＵ４１と、ＲＡＭ４２と、ＲＯＭ４３と、タッチパネル４４と、ディスプレイ４５と、カメラ４６と、無線通信装置４７と、ＧＰＳ受信装置４８とを有する。
【００３７】
ＣＰＵ４１は、移動通信端末３０の動作制御を行うプログラムを実行する。ＲＡＭ４２は、ＣＰＵ４１のワークエリアを構成する。ＲＯＭ４３は、ＣＰＵ４１が実行するプログラムや、プログラムの実行に必要なデータを記憶する。
【００３８】
タッチパネル４４は、ユーザからの操作入力を受け付ける装置である。ディスプレイ４５は、ユーザに情報を提示する装置である。カメラ４６は、ＣＭＯＳ(Complementary Metal Oxide Semiconductor)又はＣＣＤ（Charge Coupled Device）等のセンサを搭載する撮像装置である。無線通信装置４７は、３Ｇ、４Ｇ又は無線ＬＡＮ等により、外部の装置と通信する装置である。ＧＰＳ受信装置４８は、ＧＰＳ又はＩＭＥＳ等に準拠した測位信号を受信する装置である。バス４９は、上記の各装置を相互に接続する。
【００３９】
なお、本発明の一実施形態における移動通信端末は、カメラのような撮像装置と、ＧＰＳ受信装置４８のような測位手段を備える通信端末（例えば、ラップトップＰＣ、タブレットＰＣ、ＰＤＡ（Personal Digital Assistant）等）であればよい。
【００４０】
≪  ３．  機能  ≫
図８は、本発明の一実施形態におけるコンテンツ管理システム１の機能ブロック図である。
【００４１】
図８の表示装置１０は、表示部１０１を有する。
【００４２】
表示部１０１は、主にＣＰＵ１１、映像処理装置１８、投影駆動装置１９及び投影装置２１によって実現され、コンテンツ管理装置２０からの制御に従って、コンテンツを表示する。
【００４３】
図８の移動通信端末３０は、画像取得部３０１と、画像送信部３０２と、位置情報取得部３０３と、位置情報送信部３０４と、コンテンツ情報受信部３０５と、コンテンツ情報表示部３０６と、選択操作受付部３０７と、操作情報送信部３０８とを有する。
【００４４】
画像取得部３０１は、主にＣＰＵ４１及びカメラ４６の処理によって実現され、カメラ４６で撮像することによって生成された画像情報（画像データ）を取得する。画像情報は、既知の任意のフォーマット（例えば、ＪＰＥＧ、ＧＩＦ、ＰＮＧ等）で表現される。また、画像取得部３０１は、必要に応じて、ネットワークを介して送信可能なように、画像情報を圧縮する。
【００４５】
画像送信部３０２は、主にＣＰＵ４１及び無線通信装置４７の処理によって実現され、画像取得部３０１が取得した画像情報を、コンテンツ管理装置２０に送信する。
【００４６】
位置情報取得部３０３は、主にＣＰＵ４１及びＧＰＳ受信装置４８の処理によって実現され、ＧＰＳ衛星又はＩＭＥＳ送信機から送信された測位信号を用いて、移動通信端末３０の現在位置を表す位置情報を取得する。位置情報は、緯度、経度によって表現される。
【００４７】
位置情報送信部３０４は、主にＣＰＵ４１及び無線通信装置４７の処理によって実現され、位置情報取得部３０３が取得した位置情報を、コンテンツ管理装置２０に送信する。
【００４８】
コンテンツ情報受信部３０５は、主にＣＰＵ４１及び無線通信装置４７の処理によって実現され、コンテンツ管理装置２０から送信されたリンク情報及びコンテンツを受信する。
【００４９】
コンテンツ情報表示部３０６は、主にＣＰＵ４１及びディスプレイ４５の処理によって実現され、コンテンツ情報受信部３０５が受信したリンク情報及びコンテンツを表示する。
【００５０】
リンク情報は、画像取得部３０１の取得した画像に関連する、ＵＲＬのような一以上のリンク先と、そのリンク先を説明する項目名を含む（図１５の「項目名」及び「リンク先」の項目が対応する）。コンテンツ情報表示部３０６は、受信したリンク情報を、メニュー形式で、画面上に表示する。ユーザは、タッチパネル４４等を用いて、一のリンクを選択することができる。例えば、ユーザは、表示されたメニューから，項目名「投票する」を選択することにより、そのコンテンツに対して投票を行うためのＵＲＬにアクセスすることができる。
【００５１】
また、コンテンツは，コンテンツ管理装置２０から送信された、スコアが高い順に選択された一以上のコンテンツである。コンテンツは、そのコンテンツの詳細を説明するサイトへのリンクの情報とともに、送信されてもよい。ユーザは、タッチパネル４４等を用いて、画面上に表示されたコンテンツを選択すると、そのコンテンツに関連するサイトにアクセスすることができる。
【００５２】
選択操作受付部３０７は、主にＣＰＵ４１及びタッチパネル４４の処理によって実現され、コンテンツ情報表示部３０６が表示したメニューに対する、ユーザの選択操作を受け付ける。
【００５３】
操作情報送信部３０８は、主にＣＰＵ４１及び無線通信装置４７の処理によって実現され、選択操作受付部３０７が受け付けた選択操作の情報を、コンテンツ管理装置２０に送信する。例えば、選択操作受付部３０７が、ユーザによる「投票する」の項目の選択を受け付けた場合には、操作情報送信部３０８は、「投票する」の項目が選択されたことを表す操作情報を、コンテンツ管理装置２０に送信する。
【００５４】
図８のコンテンツ管理装置２０は、画像受信部２０１と、コンテンツ特定部２０２と、位置情報受信部２０３と、表示装置情報格納部２０４と、表示装置特定部２０５と、レイアウト情報格納部２０６と、コンテンツ情報格納部２０７と、リンク情報格納部２０８と、コンテンツ情報送信部２０９と、操作情報受信部２１０と、スコア更新部２１１と、表示制御部２１２とを有する。
【００５５】
画像受信部２０１は、主にＮＩＣ３８の処理によって実現され、移動通信端末３０の画像送信部３０２から送信された画像情報を受信する。
【００５６】
コンテンツ特定部２０２は、主にＣＰＵ３１の処理によって実現され、画像受信部２０１が受信した画像情報から特徴量を算出し、その画像情報が、何れのコンテンツの、何れの部分の画像を撮影したものであるかを特定する。このため、コンテンツ特定部２０２は、コンテンツに含まれる一以上の領域の画像から、特徴量を予め算出し、その画像と特徴量とを事前に関連付けておく。そして、コンテンツ特定部２０２は、移動通信端末３０から受信した画像情報より求めた特徴量と、予め算出しておいた画像の特徴量とを比較し、両者が一致すると判断できる場合に、画像及びその画像を含むコンテンツを特定する。特徴量の算出は、例えば、特許文献３等に記載されるような、従来技術を用いてなされ得る。コンテンツ特定部２０２は、受信した画像情報が、予め登録された画像のうちの何れと同一であるかを判定するために、任意の技術を用いることができる。
【００５７】
なお、コンテンツと、コンテンツを構成する画像は、それぞれ、固有のＩＤを持ち、例えば、図１５の「コンテンツＩＤ」と「画像ＩＤ」のように、互いに関連付けられる。図１５の例では、コンテンツＩＤ「TOPS001」という静止画像のコンテンツが、その静止画像の全体又は一部である画像（画像ＩＤ「IMG1」、「IMG2」）に関連付けられている。コンテンツ特定部２０２は、特定したコンテンツのコンテンツＩＤを、スコア更新部２１１に渡す。
【００５８】
位置情報受信部２０３は、主にＮＩＣ３８の処理によって実現され、移動通信端末３０の位置情報送信部３０４から送信された位置情報を受信する。
【００５９】
表示装置情報格納部２０４は、主にＨＤＤ３４によって実現され、当該コンテンツ管理装置２０が管理対象とする表示装置の情報である表示装置情報を格納する。図９は、表示装置情報を格納するテーブルの例を表す。表示装置情報は、表示装置を一意に識別する表示装置ＩＤと、表示装置の設置位置を表す緯度及び経度の項目を含む。表示装置情報は、予め、コンテンツ管理装置２０の管理者等によって設定されているものとする。ここで設定された緯度及び経度の情報は、表示装置１０と同じ位置に設置された配信装置４０から配信される。
【００６０】
なお、図９の例では、東京（緯度36.68130、経度139.76600）、大阪（緯度34.70190、経度135.49490）及び名古屋（緯度35.17069、経度136.88163）に設置された、三つ表示装置が定義されている。実際には、より多くの表示装置が定義され得る。
【００６１】
表示装置特定部２０５は、主にＣＰＵ３１の処理によって実現され、位置情報受信部２０３が受信した位置情報をキーとして、表示装置情報（図９）を探索し、移動通信端末３０と同じ位置にある表示装置の表示装置ＩＤを特定する。受信した位置情報は、何れかの表示装置１０と同じ位置に設置された配信装置４０から送信されたものであり、表示装置情報に定義された何れかの表示装置の位置情報と一致する。なお、表示装置特定部２０５は、両者の位置情報が一致しない場合には、両者の間の距離が最も近くなる表示装置の表示装置ＩＤを特定してもよい。
【００６２】
レイアウト情報格納部２０６は、主にＨＤＤ３４によって実現され、表示装置１０及び移動通信端末３０に表示させるコンテンツの表示のレイアウトを定義するレイアウト情報を格納する。図１０、図１１、図１２は、レイアウト情報の概念図である。まず、図１０、図１１は、表示装置１０におけるコンテンツの表示レイアウトを示す。図１０に示されるレイアウトでは、５つのコンテンツの表示領域(id=1,2,3,4,5)が定義され、それぞれの表示領域には、ＩＤが付されている。一方、図１１に示されるレイアウトでは、４つのコンテンツの表示領域（id=1,2,3,4）が定義されている。それぞれのレイアウトは、表示装置１０の表示解像度や設置場所等に応じて、予め定義される。また、図１２に示されるレイアウトは、撮影した画像を表示する領域（captured）と、撮影した画像に関連するリンク情報をメニュー形式で表示する領域（menu）と、スコアの高い他のコンテンツを表示する三つの領域(id=1,2,3)とを定義している。
【００６３】
コンテンツ情報格納部２０７は、主にＨＤＤ３４によって実現され、表示装置１０及び移動通信端末３０に表示させるコンテンツのコンテンツ情報を格納する。図１３及び図１４は、コンテンツ情報を格納するテーブルの例を表す。コンテンツ情報は、表示装置１０の設置された場所（例えば、「東京」と「大阪」）ごとに管理されるため、ここでは、二つのテーブルが例示されている。以下の例では、場所と表示装置１０とが一対一で対応するものとして、説明を行う。
【００６４】
コンテンツ情報は、コンテンツを一意に識別するためのコンテンツＩＤと、当該コンテンツの表示状態と、当該コンテンツの撮影回数と、当該コンテンツの投票数と、コンテンツの実体であるファイルのファイル名の項目を含む。
【００６５】
コンテンツの表示状態が「1」とは、コンテンツが、当該表示装置（場所）において表示されていることを表す。一方、コンテンツの表示状態が「0」とは、コンテンツが、当該表示装置（場所）において表示されていないことを表す。図１３の例では、コンテンツＩＤ「WALLET006」の表示状態が「0」であり、当該コンテンツが表示されないことを表している。一方で、図１４の例では、コンテンツＩＤ「DRESS002」の表示状態が「0」であり、二つの場所で表示されるコンテンツが異なる。
【００６６】
コンテンツの撮影回数は、当該コンテンツ（又はその一部）が、ユーザの移動通信端末３０によって撮影された回数を表す。ここで、コンテンツの撮影回数は、移動通信端末３０からの画像情報の受信に応じて、コンテンツ特定部２０２がそのコンテンツを特定した回数と一致する。また、投票数は、ユーザが、当該コンテンツに対して投票を行った回数を表す。ここで、投票数は、移動通信端末３０から、「投票する」のような項目が選択されたことを表す操作情報を受信した回数と一致する。
【００６７】
リンク情報格納部２０８は、主にＨＤＤ３４によって実現され、コンテンツに含まれる画像と、その画像と関連する情報を含むページへのリンクとを関連付ける、リンク情報を格納する。図１５は、リンク情報を格納するテーブルの例を表す。リンク情報は、コンテンツＩＤと、画像ＩＤと、項目名と、リンク先の項目を含む。項目名は、移動通信端末３０にメニュー項目として表示させる項目の名前である。リンク先は、その名前をユーザが選択した場合にアクセスするＵＲＬである。図１５では、ユーザがコンテンツに投票するためのＵＲＬが例示されている。
【００６８】
コンテンツ情報送信部２０９は、主にＣＰＵ３１及びＮＩＣ３８の処理によって実現される。コンテンツ情報送信部２０９は、コンテンツ特定部２０２が特定したコンテンツＩＤ及び画像ＩＤをキーとして、リンク情報（図１５）を探索し、対応するリンク情報（項目名及びリンク先）を、移動通信端末３０に送信する。また、コンテンツ情報送信部２０９は、表示装置特定部２０５によって特定された場所（又は表示装置）に対応するコンテンツ情報（図１３又は図１４）を参照する。そして、スコア（撮影回数又は投票数）の高い順に、所定の数のコンテンツを選択し、そのコンテンツを移動通信端末３０に送信する（コンテンツ特定部２０２が特定したコンテンツを除く）。選択するコンテンツの数は、例えば、図１２のレイアウト情報を参照することにより、決定される。
【００６９】
操作情報受信部２１０は、主にＣＰＵ３１及びＮＩＣ３８の処理によって実現され、移動通信端末３０の操作情報送信部３０８から送信された、操作情報を受信する。
【００７０】
スコア更新部２１１は、主にＣＰＵ３１の処理によって実現され、移動通信端末３０からの画像情報又は操作情報の受信に応じて、コンテンツのスコアを更新する。
【００７１】
まず、スコア更新部２１１は、移動通信端末３０からの画像情報及び位置情報の受信に応じて、コンテンツ情報（図１３又は図１４）の撮影回数を更新する。具体的には、スコア更新部２１１は、表示装置特定部２０５が特定した場所に対応するコンテンツ情報を参照し、コンテンツ特定部２０２が特定したコンテンツＩＤの撮影回数を、一つ増加させる。
【００７２】
また、スコア更新部２１１は、操作情報受信部２１０の操作情報の受信に応じて、コンテンツ情報（図１３又は図１４）の投票数を更新する。具体的には、スコア更新部２１１は、移動通信端末３０より、「投票する」のような項目名が選択されたことを表す操作情報を受信すると、コンテンツ特定部２０２が特定したコンテンツＩＤの投票数を、一つ増加させる。すなわち、スコア更新部２１１は、コンテンツの撮影回数又はコンテンツに対する投票数をカウントする機能を有する。
【００７３】
表示制御部２１２は、主にＣＰＵ３１及びＮＩＣ３８の処理によって実現され、レイアウト情報（図１０又は図１１）及びコンテンツ情報（図１３又は図１４）に従って、コンテンツを表示装置１０に表示させる。例えば、図１０が、表示装置ＩＤが「DISP100」の表示装置１０のレイアウト情報を示し、図１３が、当該表示装置１０の設置場所に対応するコンテンツ情報を示すものとする。このとき、表示制御部２１２は、図１３のコンテンツ情報を参照し、スコアの高い順に、５つのコンテンツを選択し、それらのコンテンツが、レイアウト情報に従って表示されるよう、表示制御を行う。スコアが「撮影回数」である場合に選択されるコンテンツとその表示領域は、以下の通りである。
−TOPS001   ：id=1
−DRESS002  ：id=2
−BAG003    ：id=3
−SHOES004  ：id=4
−JACKET005 ：id=5
以上の機能により、本発明の一実施形態におけるコンテンツ管理システム１は、ユーザによる撮影又は操作に応じて、コンテンツのスコアを管理できる。また、そのスコアに応じて、表示装置に表示させるコンテンツの配置を動的に変更させることができる。その結果、ユーザは、スコアの高いコンテンツに係る商品の情報を容易に知ることができ、コンテンツによる広告の効果が高められる。
【００７４】
≪  ４．  動作例  ≫
図１６を用いて、本発明の一実施形態におけるコンテンツ管理装置２０の処理フローを説明する。
【００７５】
ステップＳ１０１において、画像受信部２０１は、移動通信端末３０によって撮像されたコンテンツの画像情報を受信する。
【００７６】
ステップＳ１０２において、コンテンツ特定部２０２は、ステップＳ１０１で、受信した画像情報から特徴量を抽出し、事前に取得済みの特徴量と比較することにより、画像情報と対応する画像ＩＤ及びコンテンツＩＤを特定する。
【００７７】
ステップＳ１０３において、位置情報受信部２０３は、移動通信端末３０から送信された位置情報を受信する。
【００７８】
ステップＳ１０４において、表示装置特定部２０５は、ステップＳ１０３で受信した位置情報をキーとして、表示装置情報（図９）を探索し、移動通信端末３０と同じ場所にある表示装置の表示装置ＩＤを特定する。
【００７９】
ステップＳ１０５において、スコア更新部２１１は、ステップＳ１０４で特定された表示装置に対応するコンテンツ情報のうち、ステップＳ１０２で特定されたコンテンツの撮影回数を１増加させる。
【００８０】
ステップＳ１０６において、コンテンツ情報送信部２０９は、ステップＳ１０２で特定された画像ＩＤと対応するリンク情報と、ステップＳ１０４で特定された表示装置に対応する、スコアの高い所定数のコンテンツを、移動通信端末３０に送信する。
【００８１】
ステップＳ１０７において、操作情報受信部２１０が、「投票する」が選択されたことを示す操作情報を受信した場合には、ステップＳ１０８に進み，そうでない場合には、ステップＳ１０９に進む。
【００８２】
ステップＳ１０８において、スコア更新部２１１は、ステップＳ１０４で特定された表示装置に対応するコンテンツ情報のうち、ステップＳ１０２で特定されたコンテンツＩＤの投票数を１増加させる。
【００８３】
ステップＳ１０９において、表示制御部２１２は、ステップＳ１０５で更新された撮影回数及び／又はステップＳ１０９で更新された投票数を用いて、コンテンツの表示を更新する。
【００８４】
なお、上述したステップＳ１０１及びステップＳ１０３における、画像情報及び位置情報は、同時に受信されてもよい。すなわち、移動通信端末３０は、画像情報及び位置情報を同時に送信し、コンテンツ管理装置２０の画像受信部２０１及び位置情報受信部２０３が、それぞれ、これらを同時に受信してもよい。この場合には、ステップＳ１０２及びステップＳ１０４が、ステップＳ１０１及びステップＳ１０３の後に、並列して実行され得る。
【００８５】
次に、図１７を用いて、本発明の一実施形態におけるコンテンツ管理システム１の動作例を、具体例を用いて説明する。ここでは、東京（緯度「36.68130」、経度「139.76600」）に設置された一の表示装置（表示装置ＩＤ「DISP100」）に表示された、コンテンツＩＤが「BAG003」のコンテンツを、ユーザが移動通信端末３０のカメラで撮影する例を用いて説明を行う。なお、図１７では、図１６のステップＳ１０１及びステップＳ１０３における、画像情報及び位置情報が、移動通信端末３０より同時に送信される例を用いて説明する。
【００８６】
ステップＳ２０１において、コンテンツ管理装置２０の表示制御部２１２は、図１３のコンテンツ情報及び図１０のレイアウト情報に従って、表示装置ＩＤ「DISP100」に、コンテンツの表示指示を送信する。ここで、表示制御部２１２が、図１３のコンテンツ情報のうち、「撮影回数」が上位５つのコンテンツ「TOPS001」、「DRESS002」、「BAG003」、「SHOES004」、「JACKET005」を、図１０のレイアウトに従って表示させる。
【００８７】
ステップＳ２０２において、表示装置１０の表示部１０１は、コンテンツを表示する。図１８は、このときの、表示装置のコンテンツの表示例を表す。
【００８８】
ステップＳ２０３において、移動通信端末３０の画像取得部３０１は、表示装置１０の表示部１０１に表示されたコンテンツ「BAG003」を撮像して、画像情報を取得する。
【００８９】
ステップＳ２０４において、移動通信端末３０の位置情報取得部３０３は、配信装置４０から送信された測位信号を受信する。ここで、配信装置４０は、表示装置１０と同意地に設置され、位置情報（緯度「36.68130」、経度「139.76600」）を、ＩＭＥＳに準拠した測位信号により送信しているものとする。
【００９０】
ステップＳ２０５において、移動通信端末３０の画像送信部３０２及び位置情報送信部３０４は、それぞれ、ステップＳ２０３で取得した画像情報及びステップＳ２０４で取得した位置情報を、コンテンツ管理装置２０に送信する。
【００９１】
ステップＳ２０６において、コンテンツ管理装置２０のコンテンツ特定部２０２は、ステップＳ２０５で受信した画像情報の特徴量を算出し、その特徴量と対応する画像の画像ＩＤ及びその画像を含むコンテンツのコンテンツＩＤを特定する。ここでは、画像ＩＤ「IMG11」が特定され、コンテンツＩＤ「BAG003」が特定される。
【００９２】
ステップＳ２０７において、コンテンツ管理装置２０の表示装置特定部２０５は、ステップＳ２０５で受信した位置情報を用いて、図９の表示装置情報を探索し、移動通信端末３０と同じ位置の表示装置の表示装置ＩＤを特定する。ここでは、ステップＳ２０５で受信した位置情報（緯度36.68130、経度139.76600）と同一の位置情報を示す、表示装置「DISP100」が特定される。
【００９３】
ステップＳ２０８において、コンテンツ管理装置２０のスコア更新部２１１は、ステップＳ２０７で特定された表示装置ＩＤに対応するコンテンツ情報のうち、ステップＳ２０６で特定されたコンテンツのコンテンツＩＤの撮影回数を１増加させる。ここでは、コンテンツＩＤが「BAG003」の撮影回数が、「35」から「36」へと更新される。
【００９４】
ステップＳ２０９において、コンテンツ管理装置２０のコンテンツ情報送信部２０９は、ステップＳ２０６で特定された画像ＩＤと対応するリンク情報と、ステップＳ２０７で特定された表示装置の位置に対応する所定数のコンテンツを、移動通信端末３０に送信する。ここでは、コンテンツ情報送信部２０９は、ステップＳ２０６で特定された画像ＩＤをキーとして、リンク情報（図１５）を探索し、項目名として「投票する」を含むリンク情報を、移動通信端末３０に送信する。また、コンテンツ情報送信部２０９は、ステップＳ２０７で特定された位置に対応するコンテンツのうち、撮影回数が上位三つのコンテンツを、移動通信端末３０に送信する。ここでは、ステップＳ２０６で特定されたコンテンツＩＤを除く、コンテンツＩＤ「TOPS001」、「DRESS002」、「SHOES004」のコンテンツが、移動通信端末３０に送信される。
【００９５】
ステップＳ２１０において、移動通信端末３０のコンテンツ情報表示部３０６は、コンテンツ管理装置２０から送信されたリンク情報及びコンテンツを表示する。ここでは、リンク情報に含まれる「投票する」の項目が、メニュー形式で、画面上に表示される。また、コンテンツＩＤ「TOPS001」、「DRESS002」、「SHOES004」のコンテンツが、画面上に表示される。移動通信端末３０における画面の表示レイアウトは、例えば、図１２に示した通りであり、capturedの領域に、ステップＳ２０３で撮像した画像が表示される。また、一のmenuの領域に「投票する」の項目名が表示される。また、id=1,2,3の領域に、「TOPS001」、「DRESS002」、「SHOES004」のコンテンツが表示される。
【００９６】
ステップＳ２１１において、移動通信端末３０の選択操作受付部３０７は、移動通信端末３０からの操作入力を受け付ける。ここでは、ユーザが、ステップＳ２１０で表示されたメニュー上の「投票する」の項目を選択したものとする。
【００９７】
ステップＳ２１２において、移動通信端末３０の操作情報送信部３０８は、ステップＳ２１１で受け付けた操作を表す操作情報を、コンテンツ管理装置２０に送信する。
【００９８】
ステップＳ２１３において、コンテンツ管理装置２０の表示制御部２１２は、ステップＳ２０８で更新されたコンテンツ情報に従って、表示装置ＩＤ「DISP100」の表示を更新する。ここでは、ステップＳ２０８による更新により，「BAG003」の撮影回数が、「DRESS002」の撮影回数を上回る。従って、表示制御部２１２は、図１０のレイアウトに従い、ステップＳ２０１で当初表示していたものとは異なる順序で、コンテンツ「TOPS001」、「BAG003」、「DRESS002」、「SHOES004」、「JACKET005」を、表示装置１０に表示させる。なお、表示制御部２１２は、所定の時間内に順位の変動したコンテンツに関して、図１９に示すような、矢印を共に表示させてもよい。
【００９９】
ステップＳ２１４において、表示装置１０の表示部１０１は、コンテンツを表示する。図１９は、このときの、表示装置のコンテンツの表示例を表す。
【０１００】
ステップＳ２１５において、コンテンツ管理装置２０のスコア更新部２１１は、ステップＳ２１２で「投票する」の項目が選択されたことを表す操作情報を受け取ったことに応じて、ステップＳ２０６で特定されたコンテンツＩＤの投票数を１増加させる。ここでは、コンテンツＩＤが「BAG003」の投票数が、「12」から「13」へと更新される。
【０１０１】
この後、必要に応じて、ステップＳ２１３、Ｓ２１４と同様に、更新されたコンテンツ情報に従って、コンテンツの表示が更新される。ここでは、ステップＳ２１５の投票数によって、表示されるコンテンツに変動しないため、表示の更新は行われない。
【０１０２】
以上のような動作により、本発明の一実施形態におけるコンテンツ管理システム１は、ユーザによる撮影又は投票の結果に応じて、コンテンツのスコアを管理し、スコアに応じてコンテンツ表示を制御することができる。その結果、ユーザは、スコアの高いコンテンツに係る商品の情報を容易に知ることができ、コンテンツによる広告の効果が高められる。
【０１０３】
なお、ステップＳ２０９−Ｓ２１２と、ステップＳ２１３−Ｓ２１４は、それぞれ、並行して実行されても良い。
【符号の説明】
【０１０４】
１  コンテンツ管理システム
１０  表示装置
２０  コンテンツ管理装置
３０  移動通信端末
４０  配信装置
５０  アクセスポイント
６０  基地局
１０１  表示部
２０１  画像受信部
２０２  コンテンツ特定部
２０３  位置情報受信部
２０４  表示装置情報格納部
２０５  表示装置特定部
２０６  レイアウト情報格納部
２０７  コンテンツ情報格納部
２０８  リンク情報格納部
２０９  コンテンツ情報送信部
２１０  操作情報受信部
２１１  スコア更新部
２１２  表示制御部
３０１  画像取得部
３０２  画像送信部
３０３  位置情報取得部
３０４  位置情報送信部
３０５  コンテンツ情報受信部
３０６  コンテンツ情報表示部
３０７  選択操作受付部
３０８  操作情報送信部
【先行技術文献】
【特許文献】
【０１０５】
【特許文献１】特開２０１２−９８５７３号公報
【特許文献２】米国特許出願公開第２００６／００８５４７７号明細書
【特許文献３】米国特許第８１４４９２１号明細書
【非特許文献】
【０１０６】
【非特許文献１】"リコービジュアルサーチ(RVS)技術、[online]、インターネット<URL:http://www.ricoh.co.jp/about/company/technology/tech/044.html>
【非特許文献２】"RICOH TAMAGO Clicker"、[online]、インターネット<URL:http://www.ricoh.co.jp/software/tamago/clicker/>
【図１】
2014179949.tif 000003
【図２】
2014179949.tif 000004
【図３】
2014179949.tif 000005
【図４】
2014179949.tif 000006
【図５】
2014179949.tif 000007
【図６】
2014179949.tif 000008
【図７】
2014179949.tif 000009
【図８】
2014179949.tif 000010
【図９】
2014179949.tif 000011
【図１０】
2014179949.tif 000012
【図１１】
2014179949.tif 000013
【図１２】
2014179949.tif 000014
【図１３】
2014179949.tif 000015
【図１４】
2014179949.tif 000016
【図１５】
2014179949.tif 000017
【図１６】
2014179949.tif 000018
【図１７】
2014179949.tif 000019
【図１８】
2014179949.tif 000020
【図１９】
2014179949.tif 000021